(57)【要約】    【課題】  複数丁付製本物の断裁時においてシワやひび割れや破れといった不具合が背部に発生することを防止する複数丁付製本物の断裁方法及び断裁装置を提供する。    【解決手段】  複数冊分の製本物１０，２０が連結余白部４を介して長手方向に連続的に印刷され且つ綴じ合わされた複数丁付製本物１において、前記連結余白部４の背部３側に位置する背隣接余白部４ａのそれぞれに対して少なくとも一つの緩衝穴２を設ける工程と、複数丁付製本物１の連結余白部４の天位置１２又は地位置２１を断裁刃３１，３２で切断することによって、複数丁付製本物１から製本物１０，２０を断裁する工程と、を備える。【選択図】図１
2006136967.tif 000002
【特許請求の範囲】
【請求項１】
複数冊分の製本物が連結余白部を介して長手方向に連続的に印刷され且つ綴じ合わされた複数丁付製本物において、前記連結余白部の背部側に位置する背隣接余白部のそれぞれに対して少なくとも一つの緩衝穴を設ける工程と、
複数丁付製本物の連結余白部の天位置又は地位置を断裁刃で切断することによって、複数丁付製本物から製本物を断裁する工程と、
を備えることを特徴とする複数丁付製本物の断裁方法。
【請求項２】
上記緩衝穴は、貫通していることを特徴とする、請求項１記載の複数丁付製本物の断裁方法。
【請求項３】
上記緩衝穴は、表面側から裏面側への第一押し込みと、裏面側から表面側への第二押し込みとの二方向の押し込みによって形成されることを特徴とする、請求項１記載の複数丁付製本物の断裁方法。
【請求項４】
複数冊分の製本物が連結余白部を介して長手方向に連続的に印刷され且つ綴じ合わされた複数丁付製本物において、前記連結余白部の背部側に位置する背隣接余白部のそれぞれに対して少なくとも一つの緩衝穴を設ける緩衝穴形成手段と、
複数丁付製本物の連結余白部の天位置又は地位置を断裁刃で切断することによって、複数丁付製本物から製本物を断裁する断裁手段と、
を備えることを特徴とする複数丁付製本物の断裁装置。
【請求項５】
上記緩衝穴は、貫通していることを特徴とする、請求項４記載の複数丁付製本物の断裁装置。
【請求項６】
上記緩衝穴は、表面側から裏面側への第一押し込みと、裏面側から表面側への第二押し込みとの二方向の押し込みによって形成されることを特徴とする、請求項４記載の複数丁付製本物の断裁装置。
【発明の詳細な説明】
【技術分野】
【０００１】
本発明は、複数丁付製本物の断裁方法及び断裁装置に関する。詳細には、本発明は、複数冊分の製本物が長手方向に連続的に印刷され且つ綴じ合わされた複数丁付製本物（すなわち、２冊分であれば２丁付製本物であり、３冊分であれば３丁付製本物である。）を一冊の製本物毎に断裁するための断裁方法及び断裁装置に関する。
【背景技術】
【０００２】
比較的小さなサイズの書籍や雑誌や冊子等の製本物を大量に製本する場合、製本工程を簡略化して用紙代や印刷代や製本代等の全般的なコストを下げるために、複数冊分の製本物が長手方向に連続的に印刷され且つ綴じ合わされた複数丁付製本物を事前に作成しておき、複数丁付製本物を一冊の製本物毎に断裁することが行われている。比較的肉厚を有する複数丁付製本物の天地境界部分を直接的に断裁したときには、断裁後の製本物の背部にシワやひび割れや破れといった不具合がしばしば発生する。
【０００３】
天地境界部分を直接的に断裁するときに発生するこのような不具合を防止するために、例えば、次のような断裁方法が検討されている。
【０００４】
第一の断裁方法として、複数丁付製本物において、隣接する製本物の間に、いわゆる「どぶ」と呼ばれている連結余白部をあらかじめ設けておき、「どぶ」と呼ばれる連結余白部の大略中央部で複数丁付製本物を二つに断裁した後、分離された各製本物に付属している連結余白部を天位置又は地位置でさらに断裁することが行なわれている（例えば、特許文献１参照。）。
【０００５】
また、第二の断裁方法として、背部の背表紙であって「どぶ」と呼ばれる連結余白部の大略中央部にスリットを予め形成することが開示されている（例えば、特許文献２参照。）。背の方から小口の方に向けて回転カッター等の切り込み手段でスリットを予め形成した後、一方の製本物を天位置で断裁し、連結余白部が付属している他方の製本物を地位置で断裁する。
【０００６】
しかしながら、上記第一の断裁方法においては、背部にシワやひび割れや破れといった不具合が解消されずに、背部にシワやひび割れや破れといった不具合がしばしば発生する。また、「どぶ」と呼ばれる余白部の大略中央部を断裁するために、断裁工程が増えてしまうという不具合がある。また、断裁刃は、反先端側（すなわち後端側）に行くにしたがって刃の厚みが厚くなるとともに片面が傾斜しているために、断裁された端面が傾斜してしまう。したがって、当該断裁端面を次の断裁の基準面として使用不可である等の不具合がある。
【０００７】
また、上記第二の断裁方法においては、回転カッター等の切り込み手段でスリットを形成したときに微細なクラックがスリットの左右に入ってしまうために、断裁後の製本物の背表紙にクラックが残り、製本品質が良くないという不具合がある。
【０００８】
【特許文献１】特開平０５−３３７８９３号公報
【特許文献２】特開平０９−１３６２９２号公報
【発明の開示】
【発明が解決しようとする課題】
【０００９】
したがって、本発明の解決すべき技術的課題は、複数丁付製本物の断裁時においてシワやひび割れや破れといった不具合が背部に発生することを防止する製本物の断裁方法及び断裁装置を提供することである。
【課題を解決するための手段および作用・効果】
【００１０】
上記技術的課題を解決するために、本発明によれば、以下の複数丁付製本物の断裁方法が提供される。
【００１１】
すなわち、本発明に係る複数丁付製本物の断裁方法は、複数冊分の製本物が連結余白部を介して長手方向に連続的に印刷され且つ綴じ合わされた複数丁付製本物において、前記連結余白部の背部側に位置する背隣接余白部のそれぞれに対して少なくとも一つの緩衝穴を設ける工程と、
複数丁付製本物の連結余白部の天位置又は地位置を断裁刃で切断することによって、複数丁付製本物から製本物を断裁する工程と、
を備えることを特徴とする。
【００１２】
上記複数丁付製本物の断裁方法によれば、複数の製本物をつなぐ連結余白部の背部側に位置する背隣接余白部において少なくとも一つの緩衝穴が設けられている。当該緩衝穴は、連結余白部の天位置又は地位置にくさび状の断裁刃を押し入れる際に発生する大きな歪みを吸収して緩衝する作用を有する。その結果、断裁された製本物の背部において、シワやひび割れや破れといった不具合の発生が防止される。ここで、背隣接余白部に形成された緩衝穴とは、押し抜かれた紙片が紙本体から完全に分離された穴や、押し抜かれた紙片が紙本体に部分的に付着している穴や、針状体を突き刺すことで形成される小さな解れ穴等の紙本体に形成された各種の穴状物を含んでいる。
【００１３】
なお、背隣接余白部に緩衝穴を設けているのは、以下の理由による。すなわち、背部に緩衝穴を設けるならば、緩衝穴を形成する際に、背部にシワやひび割れや破れを発生させてしまうからである。また、背部に対向する小口側の部分に緩衝穴を設けるならば、緩衝穴の効果が小さくなるからである。したがって、シワやひび割れや破れの発生しやすい背部に隣接した背隣接余白部に緩衝穴を配設することが、不具合抑制に最も効果的である。
【００１４】
断裁刃は、一般に、その先端側が先細になっているとともにその後端側が太くなっているくさび形状をしている。製本物に断裁刃を押し入れる際に発生する歪みは、主として、断裁刃の後端側の太くなった部分が製本物に押し入れられることによって発生するものと考えられる。例えば、刃先が表面側から製本物に押し入れられる場合、太くなった後端部が押し入れられた状態になる表面側において大きな歪みが発生する。これに対して、連結余白部の裏面側は、先細の刃先が押し入れられた状態になるので、比較的小さな歪みの発生で済むことになる。製本物の厚みがそれほど厚くない場合には、断裁刃のくさび形状の影響を受けにくいために、緩衝穴が表面側から裏面側まで貫通している必要が無くて非貫通のものでも十分である。製本物の厚みが非常に厚い場合には、断裁刃のくさび形状の影響を受けやすくなるために、緩衝穴が貫通していることが好ましい。
【００１５】
したがって、背隣接余白部に配設された緩衝穴は、非貫通すなわち表面側から裏面側に向けてその途中部分までしか通じていない非貫通のものであってもよいが、好ましくは貫通している。
【００１６】
製本物が厚くなる（例えば、大略２０ｍｍを超える厚みである）にしたがって、緩衝穴を表面側から裏面側への一方向の押し込みだけで形成することは、現実的には困難であることがしばしばである。緩衝穴を形成することができたとしても、緩衝穴の形成時に、背部にシワやひび割れや破れを発生させてしまう可能性が高い。したがって、緩衝穴は、表面側から裏面側への第一押し込みと、裏面側から表面側への第二押し込みとの二方向の押し込みによって形成することができる。
【００１７】
第一押し込みと第二押し込みという二方向の押し込みによって緩衝穴を形成した場合、一回当たりの押し込み深さを少なくすることができるので、背部にかかる負荷を少なくして歪みの発生を抑制することができる。なお、第一押し込みの位置と第二押し込みの位置とは、必ずしも一致している必要はない。両者の位置が一致している場合には、貫通穴が形成されることになるが、両者の位置が一致していない場合には、非貫通の穴又は部分的に貫通した穴が形成されることになる。
【００１８】
背隣接余白部の緩衝穴は、一つの大きな穴にしたり、複数の小さな穴の集合体にしたりすることができる。緩衝穴は、背部と直交するように、又は背部に沿うように配設される。具体的には、緩衝穴は、丸型や四角型や楕円型やコの字型やＣの字型やＴの字型やＩの字型等の様々な形状を取ることができる。比較的大きなサイズの緩衝穴は、中空の押し抜き道具やドリルで穿孔したり、比較的小さなサイズの緩衝穴は、針状体を突き刺したりすることで形成される。
【発明を実施するための最良の形態】
【００１９】
以下に、本発明の一実施形態に係る二丁付製本物１の断裁方法及び断裁装置について、図１乃至８を参照しながら詳細に説明する。なお、本発明に係る二丁付製本物１の断裁方法及び断裁装置は、書籍や雑誌や冊子等の厚みのある各種の複数丁付製本物１に対して適用することができるが、例えば、携帯電話等の取扱説明書に対して好適である。
【００２０】
図１は、本発明に係る二丁付製本物１の断裁方法を説明する図であり、図２乃至６は、二丁付製本物１から余白部４，６，８，９を断裁する断裁装置６０の動作を説明する図である。
【００２１】
図１に示した二丁付製本物１は、余白部付き一丁目製本物１ａと余白部付き二丁目製本物１ｂとから構成されている。二丁付製本物１の左端側に設けられている背部３によって、印刷済みの複数の紙が一体に綴じられている。図１によれば、余白部付き一丁目製本物１ａは、一丁目製本物１０と天側余白部６と小口側余白部９とを備えている。また、余白部付き二丁目製本物１ｂは、二丁目製本物２０と連結余白部４と地側余白部８と小口側余白部９とを備えている。
【００２２】
言い換えれば、二丁付製本物１には、一丁目製本物１０と二丁目製本物２０とが印刷された複数の紙が一体に綴じられており、両製本物１０，２０は、「どぶ」と呼ばれている連結余白部４を介して連結されている。一丁目製本物１０の上端側すなわち天側には天側余白部６が設けられている。二丁目製本物２０の下端側すなわち地側には地側余白部８が設けられている。一丁目製本物１０の左端側には背部１３が設けられている。二丁目製本物２０の左端側には背部２３が設けられている。
【００２３】
二丁付製本物１には各種材質の紙が使用され、例えば、上質紙やアート紙やコート紙等が使用される。印刷された複数の紙の束は積層され、積層された紙の束の厚みは、紙の種類や印刷内容によって多種多様であるが、例えば、上質紙を用いた二丁付製本物１の場合には、最大でおおよそ４０ｍｍ以下、好ましくはおおよそ３０ｍｍ以下である。これは、二丁付製本物１の厚さがあまり厚くなると、適切な断裁が行えなくなるからである。印刷された複数の紙の束は、背部３（背部１３，２３）において、中綴じ又は無線綴じによって一体に綴じ合わされている。
【００２４】
天側余白部６や地側余白部８や小口側余白部９は、いずれも、その一端が２つの製本物１０，２０につながった固定端となっているとともに、その他端が自由端となっている。天側余白部６や地側余白部８や小口側余白部９は、いずれも、断裁時において断裁位置に負荷される高圧の断裁圧力を自由端から散逸させることができるので、断裁代をあまり幅広にする必要がない。天側余白部６や地側余白部８や小口側余白部９の幅は、それぞれ、例えば２乃至１０ｍｍ程度の小幅でよい。
【００２５】
これに対して、「どぶ」と呼ばれている連結余白部４は、その両端が２つの製本物１０，２０につながった固定端となっている。断裁時において断裁位置に負荷される高圧の断裁圧力を固定端から散逸させることができないので、断裁代を比較的幅広にする必要がある。断裁代としての連結余白部４の幅は、製本物１の厚みや紙の種類や印刷内容によって異なるが、一般的には、背部３の厚みに応じて決定されることが多く、背部３の厚みの大略２倍であることが好ましい。連結余白部４の幅は、例えば、おおよそ５乃至４０ｍｍであり、好ましくは、おおよそ７乃至２０ｍｍである。
【００２６】
連結余白部４であり且つ背部３に隣接した背隣接余白部４ａには、緩衝穴２が設けられている。背部３に隣接配置されている緩衝穴２は、背部３との境界に接する状態で、あるいは、背部３からわずかに離間した状態で、すなわち背部３からおおよそ１乃至１５ｍｍの距離で小口側に離間した状態で配置される。
【００２７】
背隣接余白部４ａに形成された緩衝穴２は、連結余白部４の天位置２１又は地位置１２にくさび状の断裁刃３２を押し入れる際に発生する大きな歪みを吸収して緩衝させるために設けられている。緩衝穴２は、非貫通すなわち表面側から裏面側に向けてその途中部分までしか通じていない非貫通のものであってもよいが、好ましくは貫通している。
【００２８】
背隣接余白部４ａに形成された緩衝穴２は、押し抜かれた紙片が紙本体から完全に分離された穴や、押し抜かれた紙片が紙本体に部分的に付着している穴や、針状体を突き刺すことで形成される小さな解れ穴等の紙本体に形成された様々な穴状物とすることができる。
【００２９】
二丁付製本物１が厚くなる（例えば、大略２０ｍｍを超える厚みである）にしたがって、緩衝穴２を表面側から裏面側への一方向の押し込みだけで形成することは、現実的には困難なことがしばしばである。緩衝穴２を形成することができたとしても、緩衝穴２の形成時に、背部３にシワやひび割れや破れを発生させてしまう可能性が高い。したがって、緩衝穴２は、表面側から裏面側への第一押し込みと、裏面側から表面側への第二押し込みとの二方向の押し込みによって形成することができる。例えば、二丁付製本物１の厚さの６０％程度の厚みまで第一押し込みを行った後に二丁付製本物１をひっくり返して、二丁付製本物１の厚さの６０％程度の厚みまで第二押し込みを行うことができる。
【００３０】
第一押し込みと第二押し込みという二方向の押し込みによって緩衝穴２を形成した場合、一方向のみの押し込みの場合よりも、一回当たりの押し込み量（押し込み深さ）を少なくできるので、背部３にかかる負荷を少なくして歪みの発生を抑制することができる。なお、第一押し込みの位置と第二押し込みの位置とは、必ずしも一致している必要はない。両者の位置が一致している場合には、貫通穴が形成されることになるが、両者の位置が一致していない場合には、非貫通の穴又は部分的に貫通した穴が形成されることになる。
【００３１】
背隣接余白部４ａに形成される緩衝穴２は、図７に示すような一つの大きな穴２であったり、図８に示すような複数の小さな穴２の集合体であってもよい。緩衝穴２は、背部３と直交するように、又は背部３に沿うように規則的にあるいは不規則に配置される。具体的には、緩衝穴２は、丸型や四角型や楕円型やコの字型（図７（Ｂ）又は図８（Ｂ）を参照）やＣの字型やＴの字型（図７（Ａ）又は図８（Ａ）を参照）やＩの字型（図７（Ｃ）又は図８（Ｃ）を参照）等の様々な形状を取ることができる。緩衝穴２は、様々な公知の穴形成装置によって形成される。例えば、比較的大きなサイズの緩衝穴２は、中空の押し抜き道具やドリルで穿孔することにより、比較的小さなサイズの緩衝穴２は、ドリルで穿孔したり針状体を突き刺したりすることにより、それぞれ形成される。製本物１の厚みや背隣接余白部４ａの幅によって変化するが、緩衝穴２が一つの大きな穴２から構成される場合、緩衝穴２は３乃至２０ｍｍ程度の長さや幅を有している。また、緩衝穴２が複数の小さな穴２の集合体から構成される場合、各穴２のサイズは０．５乃至５ｍｍ程度である。
【００３２】
次に、上述したような緩衝穴２を連結余白部４に有する二丁付製本物１や余白部付き一丁目製本物１ａや余白部付き二丁目製本物１ｂ等（以下、製本物等という。）は、図２乃至６に示した断裁装置６０によって断裁される。
【００３３】
図２乃至６に示した断裁装置６０は、緩衝穴２を形成する穴形成装置（不図示）に続いてベルトコンベアを介して配置されている。あるいは、断裁装置６０は、穴形成装置（不図示）と切り離した形態で配置することもできる。
【００３４】
断裁装置６０は、製本物等が載置される載置台４０と、載置台４０上に置かれた製本物等を押圧して一時的に保持する押圧部材５２と、天位置１１，２１で余白部を断裁する天断裁刃３１と、地位置１２，２２で余白部を断裁する地断裁刃３２と、小口位置５で余白部９を断裁する小口断裁刃３３と、断裁された各余白部を回収する回収ボックス４６と、を備えている。
【００３５】
各断裁刃３１，３２，３３は、その先端側が先細になっているとともにその後端側が太くなっており、製本物１０，２０に当接する側の面が平面であるくさび形状をしている。そして、各断裁刃３１，３２，３３は、その平面側が断裁すべき製本物に当接するとともに傾斜面側が余白部に当接するように配置される。
【００３６】
各断裁刃３１，３２，３３は、断裁すべき製本物等に対して真下に降下して直交断裁するように駆動されてもよいが、好ましくは、断裁すべき製本物等に対して斜め下向きに降下してスライス断裁するように駆動される。
【００３７】
断裁装置６０は、さらに、載置台４０の所定の載置位置に置かれた製本物等を、所定の断裁位置や、断裁済みの製本物等を所定の取り出し位置まで押し出して位置決めを行う押し出し部材５０を備えている。
【００３８】
回収ボックス４６の直上の回収口４４には、開閉部材４２が設けられている。開閉部材４２は、押圧部材５２の反対側（図２乃至６の右側）の一端が自在に回動するように支持されており、モータやエアシリンダ等の駆動手段が作動することによって開閉される構成とすることができる。あるいは、開閉部材４２は、バネ等の弾性手段によって開閉部材４２を上向きに付勢するとともに開閉部材４２を一時的にロック状態にするロック手段によって開閉される構成とすることができる。
【００３９】
断裁動作を行わないときには、開閉部材４２は、水平方向に延在して載置台４０と一体的につながることによって、製本物等を支持する支持部材として機能したり、製本物等を排出側に導く連絡通路として機能したりする。また、断裁動作を行うときには、駆動手段で開閉部材４２を回動させること、あるいはロック手段を解除することで、開閉部材４２が開口状態になる。その結果、開閉部材４２が水平位置から斜め下向き位置に変位して回収口４４が開口することにより、断裁された余白部４，６，８，９が回収口４４から落下して回収ボックス４６内に回収される。
【００４０】
次に、一連の製本工程について説明する。
【００４１】
二丁分が長手方向に印刷された複数の紙を束ねた積層紙を背部３で綴じることによって、二丁付製本物１が作成される。二丁付製本物１においては、連結余白部（どぶ）４や天側余白部６や地側余白部８や小口側余白部９がそれぞれ設けられている。
【００４２】
二丁付製本物１の連結余白部（どぶ）４の背隣接余白部４ａにおいて、穴形成装置によって、適切な緩衝穴２が形成される。
【００４３】
背隣接余白部４ａにおいて緩衝穴２が形成された二丁付製本物１は、背部３を後方にして小口を前方にした状態で、断裁装置６０の載置台４０の載置位置に置かれる。載置台４０の断裁位置に置かれた二丁付製本物１は、押し出し部材５０によって、断裁位置まで押し出される（図２を参照）。
【００４４】
断裁位置に位置決めされた二丁付製本物１は、押圧部材５２によって、載置台４０との間で保持される（図３を参照）。
【００４５】
押圧部材５２と載置台４との間で保持された二丁付製本物１の天位置１１及び地位置１２に対して、天断裁刃３１及び地断裁刃３２が同時に斜め下方に振り下ろされて、二丁付製本物１の天側余白部６及び余白部付き二丁目製本物１ｂがスライス断裁される。天側余白部６が回収口４４から落下して回収ボックス４６に回収される（図４を参照）。なお、切り離された一方の余白部付き二丁目製本物１ｂは、別途回収されて、後述する二丁目の断裁工程に回される。
【００４６】
切り離された他方の一丁付製本物１ａは、押圧部材５２と載置台４との間で保持されているとともに小口側余白部９を付属している。一丁付製本物１ａの小口位置５に対して、小口断裁刃３３が斜め下方に振り下ろされて、小口側余白部９がスライス断裁される。小口側余白部９が回収口４４から落下して回収ボックス４６に回収される（図５を参照）。断裁後の一丁付製本物１０は押圧部材５２で保持されている。
【００４７】
押圧部材５２による一丁付製本物１０への押圧が解除されたあと、余白部６，９の断裁された一丁目製本物１０が押し出し部材５０によって押し出される。一丁目製本物１０は、開閉部材４２の上を通って所定の取り出し位置まで押し出されて、製本済みのものとして取り出される。
【００４８】
このような工程によって断裁された一丁目製本物１０の背部１３には、シワやひび割れや破れといった不具合が発生していなかった。
【００４９】
上述の断裁工程において切り離された余白部付き二丁目製本物１ｂは、再び、背部３を後方にして小口を前方にした状態で、断裁装置６０の載置台４０の載置位置に置かれる。そして、上述と同様の断裁工程によって、余白部付き二丁目製本物１ｂから、連結余白部（どぶ）４と地側余白部８と小口側余白部９とがスライス断裁される。
【００５０】
余白部４，８，９の断裁された二丁目製本物２０は、所定の取り出し位置まで押し出されて、製本済みのものとして取り出される。このような工程によって断裁された二丁目製本物２０の背部２３にも、シワやひび割れや破れといった不具合が発生していなかった。
【００５１】
上記実施形態では二丁付製本物１に関して説明したが、本願発明は、三丁付製本物等の複数丁付製本物に対しても適用可能であることは言うまでもない。
【図面の簡単な説明】
【００５２】
【図１】本発明に係る複数丁付製本物の断裁方法を説明する図である。
【図２】本発明に係る複数丁付製本物の断裁装置の動作を説明する図である。
【図３】本発明に係る複数丁付製本物の断裁装置の動作を説明する図である。
【図４】本発明に係る複数丁付製本物の断裁装置の動作を説明する図である。
【図５】本発明に係る複数丁付製本物の断裁装置の動作を説明する図である。
【図６】本発明に係る複数丁付製本物の断裁装置の動作を説明する図である。
【図７】緩衝穴の変形例を示す図である。
【図８】緩衝穴の他の変形例を示す図である。
【符号の説明】
【００５３】
１  二丁付製本物（複数丁付製本物）
１ａ  余白部付き一丁目製本物
１ｂ  余白部付き二丁目製本物
２  緩衝穴
３  背部
４  連結余白部（どぶ）
４ａ  背隣接余白部
５  小口位置
６  天側余白部
８  地側余白部
９  小口側余白部
１０  一丁目製本物
１１  天位置
１２  地位置
１３  背部
２０  二丁目製本物
２１  天位置
２２  地位置
２３  背部
３１  天断裁刃
３２  地断裁刃
３３  小口断裁刃
４０  載置台
４２  開閉部材
４４  回収口
４６  回収ボックス
５０  押し出し部材
５２  押圧部材
６０  断裁装置（断裁手段）
【図１】
2006136967.tif 000003
【図２】
2006136967.tif 000004
【図３】
2006136967.tif 000005
【図４】
2006136967.tif 000006
【図５】
2006136967.tif 000007
【図６】
2006136967.tif 000008
【図７】
2006136967.tif 000009
【図８】
2006136967.tif 000010